(57)【要約】【課題】騒音の大きな使用環境においても高い明瞭度を有する音声出力装置を提供する。【解決手段】無線通信機における音声出力装置であって、イコライザーとスイッチと制御回路と入力キーとから構成され、イコライザーが、１／３リアルタイムオクターブ解析における３.１５ｋＨｚバンドにおいて音圧レベルがピーク値を持ち、ピーク値に対して高周波側において１０ｋＨｚバンドで５０ｄＢ減衰するように単調減少し、低周波側において１００Ｈｚバンドで６０ｄＢ減衰するように単調減衰する特性を有する。【選択図】図1
2005347876.tif 000002
【特許請求の範囲】
【請求項１】
無線通信機における音声出力装置であって、
周波数変換手段と、
前記周波数変換手段が、１／３リアルタイムオクターブ解析における３.１５ｋＨｚバンドにおいて音圧レベルがピーク値を持ち、前記ピーク値に対して高周波側において１０ｋＨｚバンドで５０ｄＢ減衰するように単調減少し、低周波側において１００Ｈｚバンドで６０ｄＢ減衰するように単調減衰する特性を有することを特徴とする音声出力装置。
【請求項２】
請求項１に記載の音声出力装置であって、
前記周波数変換手段が、前記ピーク値に対して１．２５ｋＨｚから２．５ｋＨｚバンドおよび４ｋＨｚバンドにおいて１０ｄＢ以上減衰し、４００Ｈｚから１ｋＨｚバンドおよび５ｋＨｚから１０ｋＨｚバンドにおいて２５ｄＢ以上減衰し、１００Ｈｚから３１５Ｈｚバンドにおいて４０ｄＢ以上減衰する特性を有することを特徴とする音声出力装置。
【請求項３】
無線通信機における音声出力装置であって、
イコライザーとスイッチと制御回路と入力キーとから構成され、
前記イコライザーが、１／３リアルタイムオクターブ解析における３.１５ｋＨｚバンドにおいて音圧レベルがピーク値を持ち、前記ピーク値に対して高周波側において１０ｋＨｚバンドで５０ｄＢ減衰するように単調減少し、低周波側において１００Ｈｚバンドで６０ｄＢ減衰するように単調減衰する特性を有することを特徴とする音声出力装置。
【請求項４】
請求項３に記載の音声出力装置であって、
前記イコライザーが、前記ピーク値に対して１．２５ｋＨｚから２．５ｋＨｚバンドおよび４ｋＨｚバンドにおいて１０ｄＢ以上減衰し、４００Ｈｚから１ｋＨｚバンドおよび５ｋＨｚから１０ｋＨｚバンドにおいて２５ｄＢ以上減衰し、１００Ｈｚから３１５Ｈｚバンドにおいて４０ｄＢ以上減衰する特性を有することを特徴とする音声出力装置。
【請求項５】
請求項３又は４に記載の音声出力装置において、
前記イコライザーが、ＤＳＰから成ることを特徴とする音声出力装置。
【発明の詳細な説明】
【技術分野】
【０００１】
本発明は、騒音の大きな使用環境においても高い明瞭度を有する音声出力装置に関する。
【背景技術】
【０００２】
従来における業務用無線通信機においては、送信側でのエンファシス回路、受信側でのデエンファシス回路により、音声帯域内において、電気回路的にはほぼフラットな周波数特性となっている。また、セットから出力される音声の音質は、スピーカの特性、取り付け構造、セットの構造によって左右される（例えば、特開２００４−１５１４９、図２）。近年では無線通信機のコンパクト化の要望が強まっているため、スピーカは無線通信機のボディの隙間に配置されることが多かった。図３は、従来の業務用無線通信機のスピーカから出力される音の、１／３リアルタイムオクターブ解析による音圧レベルの周波数特性図である。無線通信機のコンパクト化によって、小さいスピーカを採用しなければならなかったり、セットの構造が制約されたりする中では、スピーカから出力される音の音量には限界がある。ところで利用者が増加するに連れて、ユーザから、明瞭度に関する改良を求める要求が一層強まる傾向にあった。
【特許文献１】特開２００４−１５１４９号公報
【発明の開示】
【発明が解決しようとする課題】
【０００３】
本発明は、このような問題を解決するためになされたものであり、その目的は、騒音の大きな使用環境においても高い明瞭度を有する音声出力装置を提供する。
【課題を解決するための手段】
【０００４】
本発明の音声出力装置は、無線通信機における音声出力装置であって、
周波数変換手段と、
前記周波数変換手段が、１／３リアルタイムオクターブ解析における３.１５ｋＨｚバンドにおいて音圧レベルがピーク値を持ち、前記ピーク値に対して高周波側において１０ｋＨｚバンドで５０ｄＢ減衰するように単調減少し、低周波側において１００Ｈｚバンドで６０ｄＢ減衰するように単調減衰する特性を有することを特徴とする。
【０００５】
前記音声出力装置であって、
前記周波数変換手段が、前記ピーク値に対して１．２５ｋＨｚから２．５ｋＨｚバンドおよび４ｋＨｚバンドにおいて１０ｄＢ以上減衰し、４００Ｈｚから１ｋＨｚバンドおよび５ｋＨｚから１０ｋＨｚバンドにおいて２５ｄＢ以上減衰し、１００Ｈｚから３１５Ｈｚバンドにおいて４０ｄＢ以上減衰する特性を有することを特徴とする。
【０００６】
本発明の音声出力装置は、無線通信機における音声出力装置であって、
イコライザーとスイッチと制御回路と入力キーとから構成され、
前記イコライザーが、１／３リアルタイムオクターブ解析における３.１５ｋＨｚバンドにおいて音圧レベルがピーク値を持ち、前記ピーク値に対して高周波側において１０ｋＨｚバンドで５０ｄＢ減衰するように単調減少し、低周波側において１００Ｈｚバンドで６０ｄＢ減衰するように単調減衰する特性を有することを特徴とする。
【０００７】
前記音声出力装置であって、
前記イコライザーが、前記ピーク値に対して１．２５ｋＨｚから２．５ｋＨｚバンドおよび４ｋＨｚバンドにおいて１０ｄＢ以上減衰し、４００Ｈｚから１ｋＨｚバンドおよび５ｋＨｚから１０ｋＨｚバンドにおいて２５ｄＢ以上減衰し、１００Ｈｚから３１５Ｈｚバンドにおいて４０ｄＢ以上減衰する特性を有することを特徴とする。
【０００８】
本発明の音声出力装置は、前記音声出力装置において、前記イコライザーが、ＤＳＰから成ることを特徴とする。
【発明の効果】
【０００９】
本発明の音声出力装置によれば、騒音の大きな使用環境においても高い明瞭度を有する音声出力装置が実現できる。
【発明を実施するための最良の形態】
【００１０】
本発明による、音声出力装置の実施の形態について図１および図２を用いて説明する。図１は、本発明の音声出力装置を有する無線通信機の構成を示すブロック図である。音声出力装置は、イコライザー８とスイッチ５と制御回路１０と入力キー９から構成されている。ＲＦアンプ２は、アンテナ１とミキサー１３に、ミキサー１３はＰＬＬ１１とＩＦアンプ３とに接続されている。ＩＦアンプ３は、音声信号検出器４に接続されている。音声信号検出器４は、スイッチ５とイコライザー８とに接続されている。イコライザー８はスイッチ５に接続されている。スイッチ５は、ＡＦアンプ６に接続されている。ＡＦアンプ６は、スピーカ７に接続されている。制御回路１０は、ＰＬＬ１１と表示部１２と入力キー９とイコライザー８とスイッチ５とに接続されている。
【００１１】
図２は、スピーカ前面から測定した１／３リアルタイムオクターブ解析の音圧レベル特性の一例であり、本発明のオクターブ分析図である。この特性を実現することで、高い明瞭度を得ることは、騒音の大きな使用環境での臨場試験により証明された。音圧レベルは、３.１５ｋＨｚバンドにおいてピーク値を示している。３.１５ｋＨｚバンドから低周波側においては、ピーク値に対して、２.５ｋＨｚバンドでは１０ｄＢ、２ｋＨｚバンドでは１８ｄＢ、１.６ｋＨｚバンドでは１５ｄＢ、１.２５ｋＨｚバンドでは２２ｄＢ、１ｋＨｚバンドでは３１ｄＢ、８００Ｈｚバンドでは３３ｄＢ、６３０Ｈｚバンドでは３４ｄＢ、５００Ｈｚバンドでは３０ｄＢ、４００Ｈｚバンドでは３８ｄＢ、３１５Ｈｚバンドでは５０ｄＢ、２５０Ｈｚバンドでは４８ｄＢ、２００Ｈｚバンドでは５５ｄＢ、１６０Ｈｚバンドでは５７ｄＢ、１２５Ｈｚバンドでは５８ｄＢ、１００Ｈｚバンドでは６２ｄＢ減衰する。また高周波側においては、４ｋＨｚバンドでは１１ｄＢ、５ｋＨｚバンドでは３３ｄＢ、６.３ｋＨｚバンドでは３８ｄＢ、８ｋＨｚバンドでは４１ｄＢ、１０ｋＨｚバンドでは５３ｄＢ減衰する。
【００１２】
図１において、入力キー９から入力される希望周波数のデータが、表示部１２で確認されて制御回路１０に入力され、ＰＬＬ１１は１ｓｔＬｏｃａｌ信号に変換される。アンテナ１の受信電波は、フィルタを通った後、ＲＦアンプ２において増幅される。さらに希望周波数信号は、ミキサーでＩＦ信号に変換され、希望周波数信号以外を除去するフィルタを通った後、ＩＦアンプ３で増幅され、音声信号検出器４で音声信号として検出される。入力キー９からこの音声信号を直接ＡＦアンプ６に入力するよう指示すると、制御回路１０はスイッチ５を制御し、音声信号は直接ＡＦアンプへ入力され、スピーカ７からは図３に示される従来の周波数特性で出力される。
【００１３】
使用環境に対して高い明瞭度を保つために、図２の特性が得られるよう、あらかじめ入力キー９から制御回路１０を介して、周波数に対する音圧レベルの制御データをイコライザー８へ入力する。イコライザー８は、フリケンシーと呼ばれるカット／ブーストの周波数域を調整する機能と、ゲインと呼ばれるカット／ブーストのレベルを調整する機能と、Ｑ（バンドワイズ）と呼ばれるゲインをカット／ブーストする周波数の幅とを調整する機能で構成され、この３つのパラメータをまとめてバンドと呼ぶパラメトリックイコライザーとする。
【００１４】
このバンドを３バンド設けてパラメトリックイコライザーを構成する。それぞれのバンドの調整周波数域が周波数６０Ｈｚ〜２．５ｋＨｚ、８００Ｈｚ〜６．５ｋＨｚおよび１．２ｋＨｚ〜２０ｋＨｚとなるよう入力キー９と制御回路１０とにより、イコライザー８のフリケンシーパラメータの入力値を設定する。次に図２に示されるように、３．１５ｋＨｚのバンドにピーク値を持ち、ピーク値に対して高周波側において１０ｋＨｚバンドで５０ｄＢ減衰するように単調減少し、低周波側において１００Ｈｚバンドで６０ｄＢ減衰するように単調減衰するよう、それぞれのバンドのゲインとＱのパラメータを入力する。
【００１５】
また、このバンドを５バンド設けてパラメトリックイコライザーを構成しても良い。それぞれのバンドの調整周波数域が周波数２０Ｈｚ〜３１５Ｈｚ、６０Ｈｚ〜１ｋＨｚ、１６０Ｈｚ〜２．５ｋＨｚ、３８０Ｈｚ〜６．５ｋＨｚおよび１．２ｋＨｚ〜２０ｋＨｚとなるよう入力キー９と制御回路１０とにより、イコライザー８のフリケンシーパラメータの入力値を設定する。次に図２に示されるように、３．１５ｋＨｚバンドにピーク値を持ち、ピーク値に対して１．２５ｋＨｚ〜２．５ｋＨｚバンドおよび４ｋＨｚバンドにおいて１０ｄＢ以上減衰し、４００Ｈｚ〜１ｋＨｚバンドおよび５ｋＨｚ〜１０ｋＨｚバンドにおいて２５ｄＢ以上減衰し、１００Ｈｚ〜３１５Ｈｚバンドにおいて４０ｄＢ以上減衰するよう、それぞれのバンドのゲインとＱのパラメータを入力する。
【００１６】
さらに、周波数域を細かく分割し、その周波数域のブースト／カット量を調整する構成を持つグラフィックイコライザーを用いても良い。この場合は、図２に示されるように、音圧レベルが３.１５ｋＨｚバンドにおいてピーク値を持つようゲイン調整値を同様に入力する。３.１５ｋＨｚバンドから高周波側においては、ピーク値に対して、４ｋＨｚバンドでは１１ｄＢ、５ｋＨｚバンドでは３３ｄＢ、６.３ｋＨｚバンドでは３８ｄＢ、８ｋＨｚバンドでは４１ｄＢ、１０ｋＨｚバンドでは５３ｄＢ減衰するようゲイン調整値を入力する。
【００１７】
低周波側においては、２.５ｋＨｚバンドでは１０ｄＢ、２ｋＨｚバンドでは１８ｄＢ、１.６ｋＨｚバンドでは１５ｄＢ、１.２５ｋＨｚバンドでは２２ｄＢ、１ｋＨｚバンドでは３１ｄＢ、８００Ｈｚバンドでは３３ｄＢ、６３０Ｈｚバンドでは３４ｄＢ、５００Ｈｚバンドでは３０ｄＢ、４００Ｈｚバンドでは３８ｄＢ、３１５Ｈｚバンドでは５０ｄＢ、２５０Ｈｚバンドでは４８ｄＢ、２００Ｈｚバンドでは５５ｄＢ、１６０Ｈｚバンドでは５７ｄＢ、１２５Ｈｚバンドでは５８ｄＢ、１００Ｈｚバンドでは６２ｄＢ減衰するようゲイン調整値を入力する。
【００１８】
パラメータ調整の入力値は、あらかじめ設定してデフォルト化しておいても良く、１つのＩＣチップで実現することも可能である。また、イコライザー８は、図２に示す特性を制御できる手段であれば、パラメトリックイコライザー及びグラフィックイコライザーに限定されるものではなく、ＤＳＰによるフルディジタル信号処理のイコライザーによる実現も可能である。また他に、スピーカ取付構造や、キャビネット構造により実現しても良い。
【産業上の利用可能性】
【００１９】
本発明は、無線通信機のほかに、騒音の大きな使用環境においても高い明瞭度を有する音声出力装置を必要とする通信及び放送用途に適用できる。
【図面の簡単な説明】
【００２０】
【図１】本発明の音声出力装置を有する無線通信機の構成を示すブロック図。
【図２】本発明によるスピーカ前面から測定した音圧レベル特性の周波数特性図。
【図３】従来の業務用無線通信機のスピーカから出力される音の音圧レベルの周波数特性図。
【符号の説明】
【００２１】
１    アンテナ
２    ＲＦアンプ
３    ＩＦアンプ
４    音声信号検出器
５    スイッチ
６    ＡＦアンプ
７    スピーカ
８    イコライザー
９    入力キー
１０    制御回路
１１    ＰＬＬ
１２    表示部
１３    ミキサー
２０    音声出力装置
【図１】
2005347876.tif 000003
【図２】
2005347876.tif 000004
【図３】
2005347876.tif 000005